(57)【要約】  本発明は、投入容器（１）と、格納容器（２）と、投入容器と格納容器を係合するようにお互いに係合させること、及び投入容器と格納容器を解放するようにお互いに分離させることができるロック部材を備える衣類処理設備用の衣類処理剤投入部材が提供される。上記構造によって、投入容器と格納容器をお互いに係合／解放をさせることができるため、投入容器と格納容器の分解、組立が容易になり、衣類処理剤の投入操作を実現することに基づき、投入容器と格納容器にそれぞれ清掃、修理と交換することが容易となり、ユーザーの体験が向上される。【選択図】図１
2021524763.tif 000002
【特許請求の範囲】
【請求項１】
投入容器と、格納容器と、前記投入容器と前記格納容器をロックするようにお互いに係合させること、及び前記投入容器と前記格納容器を解放するようにお互いに分離させることができるロック部材と、を備える
衣類処理設備用の衣類処理剤投入部材。
【請求項２】
前記ロック部材は前記投入容器に設置される第１のロック素子と、前記格納容器に設置される第２のロック素子を備え、組立済みの場合には、前記第１のロック素子が前記第２のロック素子と嵌合して接続される
請求項１に記載の衣類処理剤投入部材。
【請求項３】
前記第１のロック素子は前記投入容器に設置される弾性部と、前記弾性部と接続される第１の嵌合部を備え、前記第２のロック素子は前記格納容器に設置される第２の嵌合部を備え、前記第１の嵌合部は前記第２の嵌合部と嵌合して接続される
請求項２に記載の衣類処理剤投入部材。
【請求項４】
前記弾性部は前記投入容器に設置されるバネと、前記バネに設置されるボタンを備え、前記第１の嵌合部は前記ボタンと接続される嵌合フックで、前記第２の嵌合部は前記格納容器に設置される嵌合孔で、前記嵌合フックは前記嵌合孔と嵌合して接続される
請求項３に記載の衣類処理剤投入部材。
【請求項５】
前記ボタンは前記嵌合フックと一体で設置される
請求項４に記載の衣類処理剤投入部材。
【請求項６】
前記投入容器の底部には蓋体が設置され、前記蓋体と前記投入容器の間に前記第１のロック素子を収納するための収納空間が形成され、前記蓋体は前記第１のロック素子が収納空間からの脱出を防止できる
請求項３に記載の衣類処理剤投入部材。
【請求項７】
前記蓋体は前記投入容器と固定に接続される又は一体で設置される
請求項６に記載の衣類処理剤投入部材。
【請求項８】
前記衣類処理設備は本体を備え、前記投入容器と前記格納容器のいずれも前記本体とスライド接続される
請求項１〜７のいずれか一項に記載の衣類処理剤投入部材。
【請求項９】
前記投入容器に第１のスライド部が設置され、前記格納容器に第２のスライド部が設置され、前記本体に前記第１のスライド部と前記第２のスライド部に合わせる複数のローラーが設置され、前記投入容器は前記第１のスライド部と前記複数のローラーにより前記本体にスライド接続され、前記格納容器は前記第２のスライド部と前記複数のローラーにより前記本体にスライド接続される
請求項８に記載の衣類処理剤投入部材。
【請求項１０】
請求項１〜９のいずれか一項に記載の衣類処理剤投入部材を備える衣類処理設備。
【発明の詳細な説明】
【技術分野】
【０００１】
本発明は、衣類処理の技術分野に関するもので、具体的には、衣類処理設備用の衣類処理剤投入部材及び衣類処理設備を提供するものである。
【背景技術】
【０００２】
衣類処理設備は衣類を洗濯、脱水、ドライクリーニング及び／又は乾燥できる機械で、一般的には、衣類処理設備は洗濯機、靴洗浄機、乾燥機、ドライクリーニング機及び一体型洗濯乾燥機などが含まれる。洗濯機を例として、通常、衣類の洗濯効果を保証するために衣類の洗濯を行う前に、予め洗剤／粉末洗剤を水に入れることにより、界面活性剤を利用することで衣類の汚れ及び／又は油汚れが綺麗に洗濯される。
【発明の概要】
【発明が解決しようとする課題】
【０００３】
従来技術において、通常洗濯機に洗剤投入部材が設置され、洗剤投入部材を通じて洗濯機の洗濯チャンバーに洗剤／粉末洗剤を投入することができる。一般的には、洗剤投入部材はドロワー式で、一体で形成する投入ケースと格納ケースが含まれる、即ち、ドロワーは投入ケースと格納ケースからなる。このような構造のデメリットは、洗剤を入れる必要がある場合、ドロワー全体を引き出してから洗剤の投入を行うため、洗濯機のパネルにドロワー全体に適応する開口を設置する必要があり、ドロワー全体の寸法は比較的に大きいため、パネルにおける開口も比較的に大きくなって、洗濯機が全体空間の配置に制限されるようになる。例えば、洗濯機の外観と整合性を保証するために、洗濯機の制御パネルは前述した開口と同様な高さに設置される必要があり、洗濯機の制御パネルの全体的寸法が比較的に大きくなり、生産製造のコストを増加するだけではなく、洗濯機全体の外観の面にメリットがない。そのため、実際の適用において、分体式の投入ケースと格納ケースを採用してもよい。しかし、投入ケースを格納ケースと常に接続すれば、投入ケースと格納ケースに対してそれぞれ清掃、修理と交換することができなくなり、投入ケースを格納ケースと常に分離すれば、洗剤をスムーズに輸送することが保証できなくなる。
【０００４】
従って、前述した課題を解決するために、当分野では、新規の衣類処理設備用の衣類処理剤投入部材及び対応する衣類処理設備が必要とされている。
【課題を解決するための手段】
【０００５】
従来技術における前述した課題を解決するために、即ち、従来の衣類処理剤設備の衣類処理剤投入部材における投入容器と格納容器が係合／解放できないため、ユーザーの使用上で不便になる課題を解決するために、本発明は、投入容器と、格納容器と、投入容器と格納容器をロックするように互いに係合させること、及び投入容器と格納容器を解放するように互いに分離させることができるロック部材と、を備える衣類処理設備用の衣類処理剤投入部材が提供される。
【０００６】
前述した衣類処理剤投入部材の好ましい技術案では、ロック部材は投入容器に設置される第１のロック素子と格納容器に設置される第２のロック素子を備え、組立済みの場合には、第１のロック素子は第２のロック素子と嵌合して接続される。
【０００７】
前述した衣類処理剤投入部材の好ましい技術案では、第１のロック素子は投入容器に設置される弾性部と、弾性部に接続される第１の嵌合部を備え、第２のロック素子は格納容器に設置される第２の嵌合部を備え、第１の嵌合部は第２の嵌合部と嵌合して接続される。
【０００８】
前述した衣類処理剤投入部材の好ましい技術案では、弾性部が投入容器に設置されるバネと、バネに設置されるボタンを備え、第１の嵌合部がボタンに接続される嵌合フックで、第２の嵌合部が格納容器に設置される嵌合孔で、嵌合フックが嵌合孔に嵌合して接続される。
【０００９】
前述した衣類処理剤投入部材の好ましい技術案では、ボタンが嵌合フックと一体で設置される。
【００１０】
前述した衣類処理剤投入部材の好ましい技術案では、投入容器の底部に蓋体が設置され、蓋体と投入容器の間に第１のロック素子を収納するための収納空間が形成され、蓋体は第１のロック素子が収納空間からの脱出を防止できる。
【００１１】
前述した衣類処理剤投入部材の好ましい技術案では、蓋体が投入容器と固定に接続され、又は一体も設置される。
【００１２】
前述した衣類処理剤投入部材の好ましい技術案では、衣類処理設備が本体を備え、投入容器と格納容器のいずれも本体とスライド接続される。
【００１３】
前述した衣類処理剤投入部材の好ましい技術案では、投入容器に第１のスライド部が設置され、格納容器に第２のスライド部が設置され、本体に第１のスライド部と第２のスライド部に合わせる複数のローラーが設置され、投入容器が第１のスライド部と複数のローラーにより本体にスライド接続され、格納容器が第２のスライド部と複数のローラーにより本体にスライド接続される。
【００１４】
一方、本発明は、前述した衣類処理剤投入部材を含む衣類処理設備がさらに提供される。
【００１５】
当業者が理解すべきことが、本発明の好ましい技術案では、ロック部材により投入容器と格納容器を係合／解放を行え、投入容器と格納容器に対して清掃、修理と交換を行う際に、投入容器と格納容器をお互いに解放して取り外すことは可能で、投入容器と格納容器をドロワーに組み立てる際に、投入容器と格納容器をお互いに係合して取り付けることは可能になるようにして、ドロワーを全体的に引き出すことは容易になる。このような設置で、投入容器と格納容器との分解、組立が容易になり、投入容器と格納容器がお互いに分離されることを実現できるとともに、投入容器と格納容器がお互いに接続されることも実現できるため、衣類処理剤投入の操作を実現することに基づき、投入容器と格納容器に対してそれぞれ清掃、修理と交換することが容易になり、ユーザーの体験が向上される。
【００１６】
さらに、ボタンを押し付けることにより嵌合フックと嵌合孔との分離を実現できるため、投入容器と格納容器がお互いに分離できるようにし、バネのリセット作用で嵌合フックと嵌合孔をお互いに嵌合できるようにするため、投入容器と格納容器との接続が実現される。即ち、ボタンとバネの組み合わせにより、ユーザーに簡単な押す操作と離す操作だけで、投入容器の係合と解放を実現させることができ、ユーザーが分解、組立を行う操作が容易になり、ユーザーの体験が向上される。
【００１７】
よりさらに、蓋体により第１のロック部材を受け、且つ第１のロック部材が蓋体と投入容器の底部との間に収納されることができるため、第１のロック部材が収納空間からの脱落を回避し、第１のロック部材に対する取り付けの固定効果を向上し、且つ第１のロック部材が投入容器の底部に設置され、外部から第１のロック部材が見られなくなって、投入容器の外観が向上され、また、第１のロック部材が投入容器の底部に設置されることで投入容器の上部空間を占めることなく、投入口に対する配置を行うことが容易になる。
【００１８】
さらに、投入容器及び格納容器は本体との適応方式が転がり摩擦に設置されることで、従来技術における滑り摩擦である適応方式と比較すると、ドロワー（即ち、投入容器と格納容器）を引き出す操作をより便利になり、且つ投入容器、格納容器と本体との間の摩損をできるだけ低減され、衣類処理剤投入部材の使用寿命が向上する。
【００１９】
また、本発明は、前述した技術案に基づいて更に提供される衣類処理設備は、前述の衣類処理剤投入部材を採用しているので、前述の衣類処理剤投入部材が備える技術効果を有し、且つ改良前の衣類処理設備と比較すると、本発明の衣類処理設備は、投入容器と格納容器をお互いに係合／解放させることができるため、投入容器と格納容器の分解、組立が容易になり、衣類処理剤投入の操作を実現することに基づき、投入容器と格納容器に対してそれぞれ清掃、修理と交換することが容易になり、ユーザー体験が向上される。
【図面の簡単な説明】
【００２０】
【図１】本発明における洗濯機の洗剤投入部材の構造概略図である。
【図２】図１の部分拡大図である。
【図３】本発明における洗濯機の洗剤投入部材の断面概略図である。
【図４】図３の部分拡大図である。
【発明を実施するための形態】
【００２１】
以下、本発明の好ましい実施形態を、図面を参照しながら、洗濯機に合わせて説明する。
【００２２】
まず、当業者は、これらの実施形態が本発明の技術的原理を説明するためだけに使用され、本発明の保護範囲を制限するものではないと理解すべきである。例えば、以下の実施形態は洗濯機と合わせて説明されているが、これを制限するものではなく、本発明の技術案は、空気洗浄設備、靴洗浄機や一体型洗濯乾燥機など、その他の衣類処理装置にも同様に適用され、このような適用対象の変更は本発明の原理と範囲から逸脱していない。
【００２３】
なお、本発明の説明において、用語「中」、「上」、「下」、「内」、「外」などが示す方向又は位置関係は、図面に示される方向又は位置関係に基づいており、これは説明の便宜上のものであり、前述装置又は素子が特定の方向を有し、特定の方向で構築や操作をする必要があることを示したり暗示したりするものではないため、本発明に対する制限としては理解できない。また、用語「第１の」、「第２の」は目的を説明するだけに使用され、相対的な重要性を示したり暗示したりするものとは理解できない。
【００２４】
また、本発明の説明において、特に明確な規定や限定がない限り、用語「設置」、「取り付け」、「接する」、「接続」は広義的に理解されるべきであり、例えば、固定接続であっても良いし、取り外し可能に接続しても良いし、一体的に接続しても良い。機械的な接続であっても良いし、電気的な接続であっても良い。直接に接続しても良いし、中間媒体を介して間接に接続しても良いし、２つの素子の内部における連通であってもよい。当業者にとって、具体的な状況に応じて前述の用語が本発明における具体的な意味を理解できる。
【００２５】
背景技術に示されている従来の洗濯機の洗剤投入部材における投入容器と格納容器が係合／解放できないため、ユーザーの使用上の不便になるという課題に基づき、本発明は、投入容器と格納容器をお互いに係合／解放させることができるため、投入容器と格納容器との分解、組立が容易となり、衣類処理剤の投入操作を実現するに基づき、投入容器と格納容器に対してそれぞれ清掃、修理と交換することがさらに容易になり、ユーザー体験が向上されることを目的とし、洗濯機用の洗剤投入部材及び洗濯機が提供される。
【００２６】
具体的には、図１〜図４に示されたように、本発明の洗剤投入部材は投入容器１、格納容器２とロック部材を備え、ロック部材は投入容器１と格納容器２を係合するようにお互いに係合させること、及び投入容器１と格納容器２を解放するようにお互いに分離させることができる。その中、ロック部材は嵌合の方式により投入容器１を格納容器２に接続させてもよく、噛合の方式により投入容器１を格納容器２に接続させてもよく、磁気吸着の方式により投入容器１を格納容器２に接続させてもよく、もちろん、他の方式により投入容器１を格納容器２に接続させてもよい。ロック部材により投入容器１と格納容器２をお互いに係合／解放させることができれば、当業者が実際の適用において、ロック部材が投入容器１と格納容器２との接続方式に対して柔軟に設置することができる。
【００２７】
好ましくは、ロック部材は投入容器１に設置される第１のロック素子と格納容器２に設置される第２のロック素子を備え、組立済みの場合には、第１のロック素子は第２のロック素子と嵌合して接続される。その中、第１のロック素子は投入容器１と固定に接続される又は一体で設置されてもよく、第１のロック素子は投入容器１と固定に接続されると、第１のロック素子の分解、組立、交換と修理が容易となり、第１のロック素子は投入容器１と一体で設置され、鋳型における一次成形が容易となる。同様に、第２のロック素子は格納容器２と固定に接続される又は一体で設置されてもよく、第２のロック素子は格納容器２と固定に接続されると、第２のロック素子の分解、組立、交換と修理が容易となり、第２のロック素子は投入容器１と一体で設置されると、鋳型における一次成形が容易となる。前述した構造で、第１のロック素子と第２のロック素子は嵌合フック５と嵌合孔６が嵌合される構造とであってもよく、嵌合爪と嵌合溝が嵌合される構造であってもよく、嵌合突起と嵌合凹溝が嵌合される構造であってもよい。第１のロック素子と第２のロック素子がお互いに嵌合されることにより、投入容器１と格納容器２をお互いに係合／解放させることができれば、当業者が実際の適用において、第１のロック素子及び第２のロック素子の具体的な構造を柔軟に設置することができ、このような第１のロック素子と第２のロック素子の具体的な嵌合構造を変更することは、本発明の原理と範囲から逸脱せず、いずれも本発明の保護範囲に属する。
【００２８】
好ましくは、第１のロック素子は投入容器１に設置される弾性部と、弾性部と接続される第１の嵌合部を備え、第２のロック素子は格納容器２に設置される第２の嵌合部を備え、第１の嵌合部は第２の嵌合部と嵌合して接続される。その中、弾性部はバネ３であってもよく、弾性下敷きであってもよく、弾力ボールであってもよく、またほかの弾性材であってもよい。弾性部により弾性の方式で第１の嵌合部と第２の嵌合部との嵌合又は嵌合解除を実現でき、投入容器１と格納容器２との係合／解放を実現できれば、当業者が実際の適用において、弾性部の具体的な構造を変更することを柔軟に設置することができ、このような弾性部の具体的な構造を変更することは、本発明の原理と範囲から逸脱せず、いずれも本発明の保護範囲に属する。
【００２９】
さらに好ましくは、図１〜図４に示されたように、弾性部が投入容器１に設置されるバネ３及びバネ３に設置されるボタン４を備え、第１の嵌合部はボタン４に接続される嵌合フック５で、第２の嵌合部は格納容器２に設置される嵌合孔６で、嵌合フック５は嵌合孔６と嵌合して接続される。即ち、ボタン４を押し付ける方式によりバネ３を変形させるため、嵌合フック５と嵌合孔６が分離されることを実現させ、投入容器１と格納容器２との解放を実現する。ボタン４に加える力を除くと、バネ３が自身のリセット作用で嵌合フック５と嵌合孔６を嵌合させ、投入容器１と格納容器２との係合を実現する。もちろん、その代わりに、ボタン４及びバネ３が格納容器２に設置されてもよく、嵌合フック５はボタン４に接続され、嵌合孔６が投入容器１に設置され、同様に嵌合フック５と嵌合孔６との係合／解放を実現することができる。このような設置方式の原理は前述した原理と似ているので、ここでは説明を省略する。また、ボタン４は嵌合フック５と固定に接続される又は一体で設置され、ボタン４は嵌合フック５と固定に接続されることで、部品の分解、組立、交換と修理が容易となり、ボタン４は嵌合フック５と一体で設置されると、鋳型における一次成形が容易となる。
【００３０】
好ましく、本発明の投入容器１の底部に蓋体７が設置され、蓋体７は投入容器１との間に第１のロック素子を収納するための収納空間が形成され、蓋体７は第１のロック素子が収納空間からのを防止できる。図１〜図４に示されたように、蓋体７は投入容器１の底部との隙間が形成され、当該隙間は第１のロック素子を収納するための収納空間で、蓋体７にボタン４に通過させる開口が設置され、ボタン４は開口に対して縦方向に沿って移動することは可能で、ボタン４が押し付けられる際に、ボタン４がバネ３を押してバネ３を圧縮させるため、嵌合フック５を連れて嵌合孔６から離れるようにボタン４を上向きに移動させ、投入容器１を横向きに引き出すことで、投入容器１と格納容器２を解放して分離させる。ボタン４に対する押し付け力を除くと、バネ３が戻してボタン４を下向きに移動させるため、嵌合フック５と嵌合孔６がお互いに嵌合され、投入容器１と格納容器２をロックさせる。
【００３１】
好ましくは、本発明の洗濯機が本体を備え、投入容器１と格納容器２のいずれも本体とスライド接続される。その中、投入容器１と格納容器２は本体とのスライド方式はスライド摩擦方式又は転がり摩擦方式で、投入容器１と格納容器２は本体に対してスライドできれば、当業者が実際の適用において、投入容器１と格納容器２は本体とのスライド接続方式を柔軟に設置することができる。
【００３２】
好ましくは、投入容器１に第１のスライド部が設置され、格納容器２に第２のスライド部が設置され、本体に第１のスライド部と第２のスライド部に合わせる複数のローラーが設置される。投入容器１は第１のスライド部と複数のローラーにより本体に接続され、格納容器２は第２のスライド部と複数のローラーにより本体に接続される。その中、第１のスライド部は投入容器１と固定に接続される又は一体で作製されるスライドウェイ、スライドレール及び／又はスライド溝などであってもよく、第１のスライド部と複数のローラーの適応により投入容器１を本体に対してスライドさせればよい。同様に、第２のスライド部は格納容器２と固定に接続される又は一体で作製されるスライドウェイ、スライドレール及び／又はスライド溝などであってもよく、第２のスライド部と複数のローラーの適応により格納容器２を本体に対してスライドさせればよい。当業者が実際の適用において、第１のスライド部と第２のスライド部の具体的な構造を柔軟に設置することは可能で、このような第１のスライド部と第２のスライド部の具体的な構造を変更することは本発明の技術案から逸脱することない。また、投入容器１及び格納容器２は本体とスライド接続される方式は前述した転がり方式に加えて、二つのスライドレールの適応、スライドレールとスライド溝の適応またスライドレールとスライドウェイの適応である単純なスライド方式を採用してもよい。こういうスライド方式の変更は同様に本発明の技術案から逸脱することない。
【００３３】
これで、本発明の技術案を、図面に示された好ましい実施形態と合わせて説明したが、本発明の保護範囲がこれらの具体的な実施形態に限定されないことは、当業者には容易に理解される。本発明の原理から逸脱することなく、当業者は、関連する技術的特徴に対して同等の変更又は置換を行うことができ、これらの変更又は置換後の技術案はいずれも、本発明の保護範囲に含まれる。
【図１】
2021524763.tif 000003
【図２】
2021524763.tif 000004
【図３】
2021524763.tif 000005
【図４】
2021524763.tif 000006
【国際調査報告】
2021524763.tif 000007
2021524763.tif 000008
2021524763.tif 000009
2021524763.tif 000010